(57)【要約】【課題】親展印刷依頼時の操作負担を軽減し、パスワードの機密性を確保し、受取人が親展印刷ジョブの存在を容易に確認できる印刷装置を提供する。【解決手段】親展情報入力手段２２が、ユーザＩＤ、ボックス番号、パスワード、メールアドレスなどの親展情報の入力を伴う初回の親展印刷依頼を受け付け、ＵＲＬ取得手段２３は新たなＵＲＬを取得し、このＵＲＬと親展情報とを対応付けて親展情報記憶手段２４に登録する。ＵＲＬ通知手段２５は、このＵＲＬを親展情報に含まれるメールアドレスに電子メールで通知する。親展印刷受付手段２６は、親展印刷依頼をＵＲＬで受けると、このＵＲＬに対応付けて登録された親展情報を用いてジョブを受け付ける。ホームページ作成手段２７は、ＵＲＬ毎にそのＵＲＬを用いて依頼された親展印刷に係るジョブ情報を公開するホームページを作成しサーバ部１４がこれを公開する。【選出図】図１【特許請求の範囲】
【請求項１】
親展印刷が可能な印刷装置において、
親展印刷を依頼するための複数種類の情報からなる親展情報の入力を受け付ける親展情報入力手段と、
前記親展情報入力手段が親展情報を受け付けたとき、インターネット上で閲覧可能なホームページのアドレスを表わす新たなＵＲＬを取得するＵＲＬ取得手段と、
前記ＵＲＬ取得手段が取得したＵＲＬと前記親展情報とを対応付けて記憶する親展情報記憶手段と、
前記ＵＲＬ取得手段が取得したＵＲＬを、これに対応付けられた親展情報において指定された通知先に通知するＵＲＬ通知手段と、
ＵＲＬに対応付けられた親展情報を前記親展情報記憶手段から取得することにより親展印刷の依頼を親展情報に代えてＵＲＬで受け付ける親展印刷受付手段と、
前記親展情報記憶手段に記憶されているＵＲＬ毎に、そのＵＲＬに対応する親展情報を使用して依頼を受け付けた親展印刷に係るジョブ情報を表示するホームページを作成し、これを前記ＵＲＬの示すアドレスで閲覧可能にするホームページ作成手段と
を有する
ことを特徴とする印刷装置。
【請求項２】
前記ＵＲＬ通知手段は、電子メールでＵＲＬを通知する
ことを特徴とする請求項１に記載の印刷装置。
【請求項３】
親展印刷を依頼するための複数種類の情報からなる親展情報の入力を受け付けるステップと、
インターネット上で閲覧可能なホームページのアドレスを表す新たなＵＲＬを取得するステップと、
取得したＵＲＬと先に受け付けた親展情報とを対応付けて記憶するステップと、
前記ＵＲＬを前記親展情報において指定された通知先に通知するステップと、
ＵＲＬに対応付けて記憶されている親展情報を取り出すことにより、親展印刷の依頼を親展情報に代えてＵＲＬで受け付けるステップと、
ＵＲＬ毎に、そのＵＲＬに対応する親展情報を使用して依頼を受け付けた親展印刷に係るジョブ情報を表示するホームページを作成し、これを前記ＵＲＬの示すアドレスで閲覧可能にするステップと
を有する
ことを特徴とする親展印刷の実行方法。
【発明の詳細な説明】
【技術分野】
【０００１】
本発明は、親展印刷が可能な印刷装置および親展印刷の実行方法に関する。
【背景技術】
【０００２】
パーソナルコンピュータなどの印刷データ送信装置からネットワークを通じて印刷データを離れた場所の印刷装置に送信すると、印刷物を本人が回収する前に第三者に見られてしまう可能性がある。そこで、パーソナルコンピュータ等から印刷ジョブを依頼する際にパスワードを設定し、印刷装置の操作パネルから正しいパスワードを入力しなければこの印刷ジョブに係る印刷ができないようにした親展印刷の機能を設けることで機密性を確保するようにした印刷装置がある（たとえば、特許文献１参照）。
【０００３】
また、印刷物の受取人が印刷データの送信者と異なる場合や受取人が複数人いる場合に、それらの受取人にパスワードを通知する作業の負担を軽減できる印刷装置が提案されている（たとえば、特許文献２参照。）。この装置では、パーソナルコンピュータなどの印刷データ送信装置から印刷装置に親展印刷のための印刷データを送信すると、印刷装置の側でパスワードを生成し、これを予め設定された受取人に電子メールで通知するようになっている。
【０００４】
【特許文献１】特開平７−２７６７４４号公報
【特許文献２】特開２００１−２５１４７０号公報
【発明の開示】
【発明が解決しようとする課題】
【０００５】
印刷装置に親展印刷を依頼するには、印刷データを格納するボックスＩＤやユーザＩＤ、パスワードなど複数種類の情報からなる親展情報をその都度入力しなければならず、依頼時の操作負担が大きかった。
【０００６】
印刷装置でパスワードを自動生成してこれを受取人に電子メールで通知すると、親展印刷の依頼時にパスワードを入力する手間が省けて操作負担が軽減する。しかしながら、パスワードを通知する電子メールが他人に見られてしまうと、その他人が親展印刷に係る原稿を印刷することが可能になる。このため電子メールでパスワードを通知すると、親展印刷としての機密性を充分確保することができないという問題がある。
【０００７】
一方、印刷物の受取人が印刷データの送信者と異なる場合や受取人が複数いる場合には、受け取るべき印刷物の発生をそれらの者に通知する必要があるので、その手間を軽減することも重要である。
【０００８】
本発明は、上記の問題を解決しようとする課題にするものであり、親展印刷を依頼する際の入力操作負担を軽減すること、パスワードの機密性を確保すること、および親展印刷に係る印刷ジョブの存在を受取人が容易に把握することのできる印刷装置および親展印刷の実行方法を提供することを目的としている。
【課題を解決するための手段】
【０００９】
請求項１に係る発明は、親展印刷が可能な印刷装置において、
親展印刷を依頼するための複数種類の情報からなる親展情報の入力を受け付ける親展情報入力手段（２２）と、
前記親展情報入力手段（２２）が親展情報を受け付けたとき、インターネット上で閲覧可能なホームページのアドレスを表わす新たなＵＲＬを取得するＵＲＬ取得手段（２３）と、
前記ＵＲＬ取得手段（２３）が取得したＵＲＬと前記親展情報とを対応付けて記憶する親展情報記憶手段（２４）と、
前記ＵＲＬ取得手段（２３）が取得したＵＲＬを、これに対応付けられた親展情報において指定された通知先に通知するＵＲＬ通知手段（２５）と、
ＵＲＬに対応付けられた親展情報を前記親展情報記憶手段（２４）から取得することにより親展印刷の依頼を親展情報に代えてＵＲＬで受け付ける親展印刷受付手段（２６）と、
前記親展情報記憶手段（２４）に記憶されているＵＲＬ毎に、そのＵＲＬに対応する親展情報を使用して依頼を受け付けた親展印刷に係るジョブ情報を表示するホームページを作成し、これを前記ＵＲＬの示すアドレスで閲覧可能にするホームページ作成手段（２７）と
を有する
ことを特徴とする印刷装置である。
【００１０】
上記発明によれば、印刷装置は、ユーザＩＤやボックスＩＤ、パスワードなど複数種類の情報からなる親展情報の入力を受け付けると、新たなＵＲＬを取得し、入力された親展情報をこのＵＲＬに対応付けて記憶する。また親展情報において指定された通知先にこのＵＲＬを電子メールなどで通知する。以後は、親展情報の代わりにこのＵＲＬを入力することで親展印刷の依頼が可能になる。すなわち、ＵＲＬを用いて親展印刷を依頼すると、そのＵＲＬに対応付けて記憶されている親展情報を読み出し、これを使用して親展印刷の依頼を受け付ける。さらに、親展情報に対応付けられたＵＲＬ毎に、そのＵＲＬをアドレスにしたホームページを作成し、このホームページで、当該ホームページのＵＲＬまたはこれに対応する親展情報を用いて依頼された親展印刷に係るジョブ情報を表示する。
【００１１】
このように一度親展情報を登録すると、以後は、印刷装置から通知されたＵＲＬを用いて親展印刷を依頼することが可能になり、依頼時の入力操作負担が軽減される。また通知されたＵＲＬにアクセスすることで、そのＵＲＬを用いて依頼された親展印刷に係るジョブ情報をホームページ上で確認することができる。したがって、親展情報において受取人をＵＲＬの通知先に指定しておけば、受取人にＵＲＬが通知されるので、各受取人は自己の通信端末からブラウザ等で該当のホームページにアクセスして親展印刷に係るジョブ情報を容易に入手することが可能になる。またインターネット上のホームページでジョブ情報を公開するので、時と場所を選ばずに汎用のブラウザや携帯電話からジョブ情報を容易に入手することが可能になる。
【００１２】
請求項２に係る発明は、前記ＵＲＬ通知手段（２５）は、電子メールでＵＲＬを通知する
ことを特徴とする請求項１に記載の印刷装置である。
【００１３】
上記発明によれば、電子メールでＵＲＬが通知される。この電子メールが他人に見られても、印刷に必要なパスワードが電子メールに含まれていないので、親展印刷としての機密性が確保される。
【００１４】
請求項３に係る発明は、親展印刷を依頼するための複数種類の情報からなる親展情報の入力を受け付けるステップと、
インターネット上で閲覧可能なホームページのアドレスを表す新たなＵＲＬを取得するステップと、
取得したＵＲＬと先に受け付けた親展情報とを対応付けて記憶するステップと、
前記ＵＲＬを前記親展情報において指定された通知先に通知するステップと、
ＵＲＬに対応付けて記憶されている親展情報を取り出すことにより、親展印刷の依頼を親展情報に代えてＵＲＬで受け付けるステップと、
ＵＲＬ毎に、そのＵＲＬに対応する親展情報を使用して依頼を受け付けた親展印刷に係るジョブ情報を表示するホームページを作成し、これを前記ＵＲＬの示すアドレスで閲覧可能にするステップと
を有する
ことを特徴とする親展印刷の実行方法である。
【発明の効果】
【００１５】
本発明に係る印刷装置および親展印刷の実行方法によれば、一度親展情報を登録すると、以後は、印刷装置から通知されたＵＲＬを用いて親展印刷を依頼することができ、依頼時の入力操作負担が軽減される。また通知されたＵＲＬにアクセスすることで、そのＵＲＬを用いて依頼された親展印刷に係るジョブ情報をホームページ上で確認できる。したがって、親展印刷に係る原稿の受取人をＵＲＬの通知先に指定すれば、各受取人にＵＲＬが自動的に通知されるので、各受取人は通知されたＵＲＬにアクセスすることで親展印刷に係るジョブの存在を容易に把握することができる。
【００１６】
またインターネット上のホームページでジョブ情報を公開するので、時と場所を選ばず、汎用のブラウザや携帯電話からジョブ情報を取得することができる。
【００１７】
さらに、印刷装置から電子メール等で通知した内容が他人に見られても、印刷に必要なパスワードが通知内容に含まれていないので、親展印刷としての機密性が確保される。
【発明を実施するための最良の形態】
【００１８】
以下、図面に基づき本発明の実施の形態を説明する。
【００１９】
図１は、本発明の実施の形態に係る印刷装置１０の構成を示している。印刷装置１０は、受信した印刷データに応じた画像を記録紙上に印刷して出力する機能を有している。印刷装置１０には、パーソナルコンピュータなど印刷データを送信元になる印刷データ送信装置５がＬＡＮ（ローカル・エリア・ネットワーク）を通じて接続されている。また印刷装置１０は、ＷＷＷ（ワールド・ワイド・ウェブ）のサーバ機能を備え、インターネット６に接続されたパーソナルコンピュータや携帯電話など各種通信端末７からのアクセスに応じて、それらにホームページを表示等するためのデータを送信する機能を備えている。
【００２０】
さらに印刷装置１０は親展印刷機能を備えている。親展印刷とは、印刷データ送信装置５等から印刷装置１０に印刷ジョブを依頼する際にパスワードを設定し、印刷装置１０の操作パネルから正しいパスワードを入力しなければこの印刷ジョブに係る印刷が実行されないようにした印刷機能である。
【００２１】
ここでは、印刷データをユーザ別やグループ別に仕分けして保存するための仮想的な入れ物としての機能を果たすボックスを印刷装置１０に設けておき、親展印刷の依頼時および印刷時にそれぞれ該当するボックスの番号を指定するようになっている。
【００２２】
印刷装置１０は、当該装置全体の動作を統括制御する主制御部２０を備えている。主制御部２０は、ＣＰＵ（中央処理装置）とＲＯＭ（リード・オンリ・メモリ）とＲＡＭ（ランダム・アクセス・メモリ）とを主要部として構成されている。プリンタ部１１は、電子写真プロセスによって記録紙上に画像を形成して出力する機能を果たし、記録紙の搬送装置と、感光体ドラムと、帯電装置と、レーザーユニットと、現像装置と、転写分離装置と、クリーニング装置と、定着装置とを有する、いわゆるレーザープリンタとして構成されている。
【００２３】
表示操作部１２は、液晶ディスプレイと各種の操作スイッチから構成され、ユーザに各種の案内表示や状態表示を行なったり、ユーザからボックス番号やパスワードの入力のほか各種の入力操作を受け付けたりする機能を有している。通信部１３は、外部装置との間でＵＳＢ（ユニバーサル・シリアル・バス）やＬＡＮなどの通信方法で各種データを送受信する機能を果たす。
【００２４】
サーバ部１４は、インターネット６に接続されたクライアントからの要求に応じて、ホームページの表示データを要求元のクライアントに送信する機能を果たす。サーバ部１４が提供するホームページには親展印刷に係るジョブ情報等が表示される。
【００２５】
印刷データ記憶手段１６は、印刷データ送信装置５等から受信した印刷データを格納し記憶するものである。印刷データ記憶手段１６には、前述したボックスがユーザ別やグループ別に生成される。親展印刷に係る印刷データ（以後、親展印刷データとも呼ぶ。）は親展印刷の依頼時に指定されたボックスに格納される。
【００２６】
主制御部２０は、プリントコントローラ２１と、親展情報入力手段２２と、ＵＲＬ取得手段２３と、親展情報記憶手段２４と、ＵＲＬ通知手段２５と、親展印刷受付手段２６と、ホームページ作成手段２７としての機能を果たす。プリントコントローラ２１は印刷データ送信装置５などから受信した印刷データを画像データ（ラスタイメージデータ）に展開する。親展情報入力手段２２は、親展印刷を依頼する際に指定すべき複数種類の情報からなる親展情報の入力を受け付ける機能を果たす。ここでは、ユーザＩＤ，パスワード、ボックス番号、電子メールアドレスが親展印刷に伴う親展情報であり、このうち電子メールアドレスは複数指定することができる。
【００２７】
ＵＲＬ取得手段２３は、プリントコントローラ２１が親展情報を受け付けたとき、インターネット６上で閲覧可能なホームページのアドレスを表わす新たなＵＲＬ（ユー・アール・エル、Uniform Resource Locator）を取得する。具体的には、サーバ部１４がクライアントに提供するホームページのアドレス情報である。親展情報入力手段２２は、既に割り当てたＵＲＬを記憶しておき、これらと異なるＵＲＬを新たに取得する。
【００２８】
親展情報記憶手段２４は、親展情報入力手段２２が受け付けた親展情報とＵＲＬ取得手段２３が取得したＵＲＬとを対応付けて記憶する。ここでは、図４に示すように親展印刷管理テーブル３０をＵＲＬ毎に生成し、これを親展情報記憶手段２４に記憶するようになっている。親展印刷管理テーブル３０には、ＵＲＬ３１と親展情報３２と親展印刷ジョブ情報３３が登録される。なお、親展印刷管理テーブル３０に親展情報３２と親展印刷ジョブ情報３３を格納し、親展印刷管理テーブル３０を記憶した領域へのポインタと該当するＵＲＬとを対応付けて別領域に記憶する構成にしてもよい。
【００２９】
ＵＲＬ通知手段２５は、ＵＲＬ取得手段２３が取得したＵＲＬを、これに対応付けられた親展情報において指定された通知先に通知する機能を果たす。具体的には、ＵＲＬを含む電子メールを作成し、これを親展情報に含まれていた電子メールアドレスに送信するようになっている。
【００３０】
親展印刷受付手段２６は、ＵＲＬに対応付けられた親展情報を親展情報記憶手段２４から取得することにより親展印刷の依頼を親展情報に代えてＵＲＬで受け付ける機能を果たす。すなわち、親展印刷の依頼をＵＲＬで受け付けると、このＵＲＬで親展情報記憶手段２４を検索し、対応する親展情報を読み出し、この親展情報を用いて親展印刷に係る印刷ジョブを登録する。したがって、親展印刷の初回依頼時は、ユーザＩＤ，パスワード、ボックス番号、電子メールアドレスで構成される親展情報の入力を要するが、印刷装置１０からＵＲＬが通知された後は、このＵＲＬを入力するだけで、初回に入力した親展情報を用いて親展印刷を依頼することができるようになっている。
【００３１】
ホームページ作成手段２７は、親展情報記憶手段２４に記憶されているＵＲＬ毎にホームページを作成し、これをサーバ部１４によって閲覧可能にする機能を果たす。ホームページには、そのＵＲＬに対応する親展情報を使用して依頼を受け付けた親展印刷に係るジョブ情報（親展印刷ジョブ情報３３）が表示される。親展印刷ジョブ情報３３には、親展印刷を依頼したユーザ名やユーザＩＤ、出力待ち状態にある親展印刷のジョブ番号、ジョブ受付日時などが含まれる。
【００３２】
図２は、親展印刷を依頼する場合に印刷データ送信装置５に表示される入力画面の遷移の一例を示している。これらの画面は印刷データ送信装置５にインストールされている印刷装置１０のドライバソフトにより提供される。印刷画面のプロパティなどで親展印刷を選択すると図２に示す依頼方法選択画面５０が表示される。依頼方法選択画面５０には、「新規登録」釦５１と「ＵＲＬ使用」釦５２とが表示される。「新規登録」釦５１を選択すると親展情報登録画面６０が表示される。
【００３３】
親展情報登録画面６０には、ユーザＩＤを入力するためのユーザＩＤ入力欄６１と、パスワードを入力するためのパスワード入力欄６２と、ボックス番号を入力するためのボックス番号入力欄６３と、電子メールアドレスを入力するためのＵＲＬ通知先入力欄６４とが表示される。ＵＲＬ通知先入力欄６４の下方に配置された「追加」ボタン６５または「削除」釦６６を操作すると、ＵＲＬ通知先としての電子メールアドレスを追加または削除することができる。
【００３４】
通知先として、親展印刷を依頼した本人や親展印刷に係る印刷物の受取人を指定するとよい。同じグループや部署に所属する複数人が受取人になる場合は、それら複数人分の電子メールアドレスをＵＲＬの通知先に設定すればよい。各欄６１〜６４に該当する情報を入力した後に「ＯＫ」釦６７を操作すると、親展情報の受付が完了し、この親展情報を用いて親展印刷の依頼が行なわれる。
【００３５】
依頼方法選択画面５０で「ＵＲＬ使用」釦５２を操作するとＵＲＬ入力画面７０が表示される。ＵＲＬ入力画面７０にはＵＲＬを入力するためのＵＲＬ入力欄７１が表示される。ＵＲＬ入力欄７１に直接ＵＲＬを入力するほか「参照」釦７２を操作することで、既に登録されているＵＲＬの中から今回使用するＵＲＬを選択して入力することが可能になっている。また電子メールで通知したＵＲＬを当該電子メールからコピーしてＵＲＬ入力欄７１に貼り付けてもよい。ＵＲＬ入力欄７１にＵＲＬを入力した後に「ＯＫ」釦７３を操作すると、ＵＲＬの入力受付が完了し、このＵＲＬを用いて親展印刷の依頼が行なわれる。
【００３６】
図３は、親展情報登録画面６０から親展情報を直接指定して親展印刷を依頼した場合における印刷装置１０の動作の流れを示し、図４は、この動作におけるデータの流れを示している。印刷装置１０は、印刷データ送信装置５からユーザＩＤ、パスワード、ボックス番号、電子メールアドレスなどの親展情報を指定した初回の親展印刷指示を受けると（ステップＳ１０１）、新たなＵＲＬを取得し（ステップＳ１０２）、このＵＲＬと受信した親展情報とを対応付けた親展印刷管理テーブル３０を作成し、これを親展情報記憶手段２４に記憶する（ステップＳ１０３）。
【００３７】
その後、印刷データ送信装置５から送られてくる親展印刷データを受信し、これを先の親展情報で指定されたボックスに格納する（ステップＳ１０４）。また今回依頼された親展印刷に係るジョブ情報を親展印刷管理テーブル３０に登録する（ステップＳ１０５）。さらに印刷装置１０は、今回取得したＵＲＬを通知するための電子メールを作成し、これを今回受信した親展情報に通知先として含まれていた各電子メールアドレスに送信する（ステップＳ１０６）。
【００３８】
図５は、ＵＲＬ入力画面７０からＵＲＬを指定して親展印刷を依頼した場合における印刷装置１０の動作の流れを示し、図６は、この動作におけるデータの流れを示している。印刷装置１０は、印刷データ送信装置５からＵＲＬを指定した親展印刷指示を受けると（ステップＳ２０１）、受信したＵＲＬで親展情報記憶手段２４を検索し（ステップＳ２０２）、該当するＵＲＬが登録されていない場合は（ステップＳ２０３；Ｎ）、親展印刷指示の送信元にその旨のエラー通知を行なう（ステップＳ２０４）。
【００３９】
受信したＵＲＬを含む親展印刷管理テーブル３０が登録されている場合は（ステップＳ２０３；Ｙ）、該当するＵＲＬを含む親展印刷管理テーブル３０に登録されている親展情報に従って親展印刷に係る印刷ジョブが登録される（ステップＳ２０５、２０６）。すなわち、印刷データ送信装置５から送られてくる印刷データを、該当するＵＲＬを含む親展印刷管理テーブル３０に登録されている親展情報のボックス番号が示すボックスに親展印刷データとして格納するとともに（ステップＳ２０５）、この親展印刷管理テーブル３０の親展印刷ジョブ情報に今回の親展印刷指示に係る印刷ジョブを追加登録する（ステップＳ２０６）。
【００４０】
このように、一度親展情報を登録すると、以後は印刷装置１０から通知されたＵＲＬを用いて親展印刷を依頼することができるので、依頼時の入力操作負担が軽減され、利便性が向上する。
【００４１】
図７は、通信端末７等からインターネット６を通じてサーバ部１４にアクセスされた場合における印刷装置１０の動作の流れを示し、図８は、この動作におけるデータの流れを示している。印刷装置１０は、アクセス要求されたＵＲＬで親展情報記憶手段２４を検索し（ステップＳ３０１）、該当するＵＲＬが登録されていない場合は（ステップＳ３０２；Ｎ）、指定されたホームページが見つからない旨のエラー通知を行なう（ステップＳ３０３）。
【００４２】
アクセス要求されたＵＲＬを含む親展印刷管理テーブル３０が登録されている場合は（ステップＳ３０２；Ｙ）、そのＵＲＬを含む親展印刷管理テーブル３０に登録されている親展印刷ジョブ情報３３を読み出し、この親展印刷ジョブ情報３３を表示するためのホームページを作成し（ステップＳ３０４）、当該ホームページをブラウザ等で表示するためのデータをアクセス元の通信端末７に送信する（ステップＳ３０５）。
【００４３】
このように、通知されたＵＲＬにブラウザ等からアクセスすることで、そのＵＲＬを用いて依頼された親展印刷に係るジョブ情報をホームページ上で確認することができる。したがって、親展情報の登録時に、ＵＲＬの通知先として印刷物の受取人の電子メールアドレスを指定しておけば、受取人にＵＲＬが通知されるので、各受取人は自己の通信端末からブラウザ等で該当のホームページにアクセスして親展印刷に係るジョブ情報を容易に入手することが可能になる。
【００４４】
またＵＲＬを通知する電子メールには印刷時に必要になるパスワードが含まれていないので、電子メールが他人に見られても、親展印刷としての機密性が確保される。
【００４５】
以上、本発明の実施の形態を図面によって説明してきたが、具体的な構成は実施の形態に示したものに限られるものではなく、本発明の要旨を逸脱しない範囲における変更や追加があっても本発明に含まれる。たとえば、実施の形態では初回の親展印刷依頼時に親展情報を入力して登録するようにしたが、親展印刷の依頼前に親展情報の登録だけを独立に実施できるように構成してもよい。
【００４６】
また親展印刷の依頼を受け付けた場合に、新規の親展印刷ジョブが発生したことを示す電子メールを作成し、これを当該親展印刷に係る親展情報に含まれている各電子メールアドレスに送信するように機能を備えるように構成してもよい。このほか、ホームページで公開する親展印刷ジョブ情報の内容は実施の形態で例示したものに限定されない。
【００４７】
また実施の形態では、アクセスされたときに該当するホームページを作成するようにしたが、予め作成して蓄積しておくように構成してもよい。さらに印刷装置１０にサーバ部１４を設けてホームページを公開するように構成したが、ホームページを公開するサーバを別に設け、公開すべきホームページのデータを印刷装置１０からそのサーバにアップロードするように構成してもよい。
【図面の簡単な説明】
【００４８】
【図１】本発明の実施の形態に係る印刷装置の構成を示すブロック図である。
【図２】親展印刷を依頼する場合に印刷データ送信装置に表示される入力画面の遷移の一例を示す説明図である。
【図３】親展情報登録画面から親展情報を直接指定して親展印刷を依頼した場合における印刷装置の動作を示す流れ図である。
【図４】図３に示す動作に係るデータの流れを示す説明図である。
【図５】ＵＲＬ入力画面からＵＲＬを指定して親展印刷を依頼した場合における印刷装置の動作を示す流れ図である。
【図６】図５に示す動作に係るデータの流れを示す説明図である。
【図７】通信端末等からインターネットを通じてサーバ部にアクセスされた場合における印刷装置の動作を示す流れ図である。
【図８】図７に示す動作に係るデータの流れを示す説明図である。
【符号の説明】
【００４９】
５…印刷データ送信装置
６…インターネット
７…通信端末
１０…印刷装置
１１…プリンタ部
１２…表示操作部
１３…通信部
１４…サーバ部
１６…印刷データ記憶手段
２０…主制御部
２１…プリントコントローラ
２２…親展情報入力手段
２３…ＵＲＬ取得手段
２４…親展情報記憶手段
２５…ＵＲＬ通知手段
２６…親展印刷受付手段
２７…ホームページ作成手段
３０…親展印刷管理テーブル
３１…ＵＲＬ
３２…親展情報
３３…親展印刷ジョブ情報
５０…依頼方法選択画面
５１…「新規登録」釦
５２…「ＵＲＬ使用」釦
６０…親展情報登録画面
６１…ユーザＩＤ入力欄
６２…パスワード入力欄
６３…ボックス番号入力欄
６４…ＵＲＬ通知先入力欄
６５…「追加」ボタン
６６…「削除」釦
６７…「ＯＫ」釦
７０…ＵＲＬ入力画面
７１…ＵＲＬ入力欄
７２…「参照」釦
７３…「ＯＫ」釦
【図１】
2005063285.tif 000002
【図２】
2005063285.tif 000003
【図３】
2005063285.tif 000004
【図４】
2005063285.tif 000005
【図５】
2005063285.tif 000006
【図６】
2005063285.tif 000007
【図７】
2005063285.tif 000008
【図８】
2005063285.tif 000009